(57)【要約】      （修正有）【課題】園芸用鋏などの切断具の殺菌処理を簡易に行うポータブル電気加熱滅菌せん断装置を提供する。【解決手段】バッテリーボックス１、加熱スイッチ２、温度表示器４、電気滅菌せん断鋏刃５、電気滅菌せん断鋏刃５に沿って設けられた加熱体３‘、バッテリーボックス１から電力を該加熱体３’に供給する電源線３、断熱グリップ７、復帰スプリング８からなり、断熱グリップ７の手元側に設けた加熱スイッチ２を操作してバッテリーボックス１から電源線３を経て加熱体３‘に電力を供給して電気滅菌せん断鋏刃５を加熱して、滅菌、殺菌処理を行う。断熱グリップ７を把握して植物などの剪断を行い、断熱グリップ７は高温の電気滅菌せん断鋏刃５から手指を保護し、復帰スプリング８は剪断操作後に電気滅菌せん断鋏刃５を復帰動作する。【選択図】図１
0003232787.tif 000002
【実用新案登録請求の範囲】
【請求項１】
バッテリーボックス、加熱スイッチ、温度表示器、電気滅菌せん断挟刃、電気滅菌せん断鋏刃に沿って設けられた加熱体、バッテリーボックスから電力を該加熱体に供給する電源線、断熱グリップ、復帰スプリングからなり、
一対の電気滅菌せん断挟刃とその把持部である断熱グリップとをピボット軸で回動可能として、復帰スプリングによって切断動作を復帰させる鋏の構成とし、
バッテリーボックスから電源線を経て加熱体‘に電力を供給して電気滅菌せん断鋏刃を加熱可能とし、加熱スイッチにより加熱操作を行うと共に温度表示器により電気滅菌せん断挟刃の温度を確認可能としたことを特徴とする
ポータブル電気加熱滅菌せん断装置。
【考案の詳細な説明】
【技術分野】
【０００１】
本考案は、いわゆる切断鋏に関し、特に裁断した植物体の細菌感染などを防止する滅菌効果を有する、切断装置に関する。
【背景技術】
【０００２】
市販のはさみは、文房具、衣料品の仕立て、日用品、食品加工、医療機器、農業、園芸などの各種の用途において切断に通常使用されている。
これらの切断装置の使用に際しては、細菌感染を防止することが求められる場合には使用前に予め滅菌処理を行う必要がある。
これらの滅菌処理は消毒薬液に浸漬したり、加熱滅菌処理を行うことが一般であるが、そのための設備を必要とし、作業上も煩瑣であるばかりでなく、特に、滅菌プロセスの不適切な操作は、化膿などによる人身傷害、食品の腐敗、食品中毒、創傷感染、および植物病の伝染などを容易に引き起こす可能性がある。
【先行技術文献】
【特許文献】
【０００３】
【特許文献１】実用新案登録第３１６３２７９号
【考案の概要】
【考案が解決しようとする課題】
【０００４】
本考案の目的は、これらの滅菌処理を必要とする切断装置である鋏において、簡易な機構により、滅菌処理を行うことができると共に携帯に便利であり、操作が容易な電気加熱滅菌せん断装置を提供することにある。
【課題を解決するための手段】
【０００５】
上記の先行技術の課題を解決するために、本考案は、
バッテリーボックス、加熱スイッチ、温度表示器、電気滅菌せん断鋏刃、電気滅菌せん断鋏刃に沿って設けられた加熱体、バッテリーボックスから電力を該加熱体に供給する電源線、断熱グリップ、復帰スプリングからなり、
加熱スイッチを操作してバッテリーボックスから電源線を経て加熱体に電力を供給して電気滅菌せん断鋏刃を加熱して、滅菌、殺菌処理を行う。
使用に際しては加熱グリップを把握して植物などの剪断を行い、断熱グリップは高温の電気滅菌せん断鋏から手指を保護し、復帰スプリングは剪断操作後に電気滅菌せん断鋏刃を復帰動作する、ポータブル電気加熱滅菌せん断装置である。
【考案の効果】
【０００６】
本考案のポータブル電気加熱滅菌せん断装置は、バッテリーボックス、加熱スイッチ、温度表示器、電気滅菌せん断鋏刃、電気滅菌せん断鋏刃に沿って設けられた加熱体、断熱グリップ、および復帰スプリングの組み合わせによる簡単な構成からなり、携帯性、省力化、安全性、時間節約、環境保護、および細菌増殖の防止の効果を実現します。
【図面の簡単な説明】
【０００７】
【図１】本考案の電気滅菌剪断装置の組み合わせ構造の説明図である。
【考案を実施するための形態】
【０００８】
図１に本考案の具体的態様を示す。
図において、バッテリーボックス１、加熱スイッチ２、温度表示器４、電気滅菌せん断鋏刃５、電気滅菌せん断挟刃５に沿って設けられた加熱体（ヒーター）３‘、バッテリーボックス１から電力を該加熱体３’に供給する電源線３、断熱グリップ７、復帰スプリング８からなり、
加熱スイッチ２を操作してバッテリーボックス１から電源線３を経て加熱体３‘に電力を供給して電気滅菌せん断鋏刃５を加熱して、滅菌、殺菌処理を行う。
加熱体（ヒーター）３‘は、電気滅菌せん断挟刃５に沿って設けられ、加熱スイッチ２を操作してバッテリーボックス１から電源線３を経て加熱体３‘に電力を供給して電気滅菌せん断鋏刃５を加熱し、温度センサーである温度表示器４の温度表示により電気滅菌せん断鋏刃５の温度が滅菌、殺菌処理に適した温度となることを確認する。
断熱グリップ7は、切断操作を行うための把持部であって、加熱状態にある電気滅菌剪断装置から手指を保護し、スプリング8は剪断操作後に電気滅菌せん断鋏刃５を復帰動作する。
【０００９】
本考案は、消毒薬液に浸漬したり、加熱滅菌処理を行うための装置を必要とせず、それらの煩瑣な操作をすることなく、加熱スイッチ２および温度表示器４の操作、使用のみで熱滅菌中の操作上の安全性および滅菌効果を達成することができる。
また、これらの簡単な構成は、携帯型の装置としてバッテリーボックス1とワイヤー装置3を使用して電力を供給し、電気加熱滅菌剪断挟刃5を加熱して殺菌、滅菌処理ができるため、農園や園芸の切断と滅菌の利便性を向上させます。
特に、断熱グリップ７を把持することにより、携帯型電気滅菌剪断機の運転中の過度の高温による熱傷を回避することができ、ピボット６および復帰スプリング８によって、切断操作を手指による断熱グリップの把持動作のみで行え、すなわち、省力化のメリットを実現できます。
【００１０】
本考案は、簡単な切断が必要なアイテムに適しており、加熱スイッチ操作のみで作動して滅菌動作温度に達するので、当初に例示した仕立て、日用品、食品加工、医療機器などの園芸用剪断器具以外の分野でもの殺菌および滅菌効果を達成することもできます。
【産業上の利用可能性】
【００１１】
本考案は、農業や園芸分野に限らず、切断に際して殺菌、滅菌処理が必要とする分野の応用に適しており、これらの広い応用分野において殺菌・滅菌作用を効果的に発揮することができます。
【符号の説明】
【００１２】
１      バッテリーボックス
２      加熱スイッチ
３      ワイヤー  
３‘   加熱体（ヒーター）
４      温度表示器
５      電気加熱滅菌せん断鋏刃
６      ピボット
７      絶縁グリップ
８      復帰スプリング
【図１】
0003232787.tif 000003
【手続補正書】
【提出日】令和2年11月24日(2020.11.24)
【手続補正１】
【補正対象書類名】実用新案登録請求の範囲
【補正対象項目名】全文
【補正方法】変更
【補正の内容】
【実用新案登録請求の範囲】
【請求項１】
バッテリーボックス、加熱スイッチ、温度表示器、一対の電気滅菌せん断挟刃、電気滅菌せん断鋏刃に沿って設けられた加熱体、バッテリーボックスから電力を該加熱体に供給する電源線、断熱グリップ、復帰スプリングからなり、
上記加熱スイッチを断熱グリップ手元側に設けて、断熱グリップの電気滅菌せん断鋏刃に接する位置に配置した温度表示器を経て上記加熱体に電気的に接続し、
上記一対の電気滅菌せん断挟刃とその把持部である断熱グリップとをピボット軸で回動可能として、復帰スプリングによって切断動作を復帰させる鋏の構成とし、
バッテリーボックスから電源線を経て加熱体に電力を供給して電気滅菌せん断鋏刃を加熱可能とし、加熱スイッチにより加熱操作を行うと共に温度表示器により電気滅菌せん断挟刃の温度を確認可能としたことを特徴とする
ポータブル電気加熱滅菌せん断装置。